(57)【特許請求の範囲】
【請求項１】
端子を備えた電池セルと、
前記電池セルの状態を計測する計測器と、
前記電池セル及び前記計測器を備えた複数の電池モジュールと、
前記複数の電池モジュールと併設され、前記電池セルを制御する電池制御機器と、を備え、
前記電池モジュールは、
前記電池セルの前記端子と接続される電極端子と、
前記電極端子が突設される端子面と、を備え、
前記電池制御機器は、
前記電極端子と電気的に接続される電極接続端子と、
前記計測器と電気的に接続される計測器接続端子と、を備え、
複数の電池モジュールの端子面は、同一方向に向けて配置されており、
前記端子面に沿って設けられるとともに、前記電極端子に接続され、前記複数の電池モジュールを電気的に接続する端子接続部材と、
前記計測器から延びる第１配線と、
前記計測器接続端子から延びる第２配線と、
前記第１配線と前記第２配線とを電気的に接続する配線接続部材と、を備える電池パックにおいて、
前記配線接続部材は、前記端子面を臨む方向から見た場合に、前記端子接続部材と重ならない位置にあるとともに、前記端子面に沿う方向から見た場合に、前記端子接続部材と重ならない位置にあることを特徴とする電池パック。
【請求項２】
前記配線接続部材は、前記電池モジュールに固定されたブラケットに取り付けられることを特徴とする請求項１記載の電池パック。
【請求項３】
前記配線接続部材は、前記ブラケットと前記端子面との間に位置することを特徴とする請求項２記載の電池パック。
【発明の詳細な説明】
【技術分野】
【０００１】
この発明は、電池セルを収容する電池モジュールと、電池セルを制御する電池制御機器とを備える電池パックに関する。
【背景技術】
【０００２】
例えば、特許文献１には、複数の電池セルを収容する複数の電池モジュールと、電池セルを制御するコントローラとを備える電池パックが開示されている。電池モジュールは複数の電池セルにより構成され、電池セルには種々の計測器が接続され、計測器は電池セルを制御するコントローラに接続されている。
【０００３】
特許文献１に開示された電池パックでは、複数の電池モジュールの端子面が同一方向に向けて配置されるように複数の電池モジュールが併設され、電池セルを制御するコントローラが電池モジュールに併設されている。
【先行技術文献】
【特許文献】
【０００４】
【特許文献１】特開２００７−５９０８８号公報
【発明の概要】
【発明が解決しようとする課題】
【０００５】
特許文献１の電池パックにおいて、複数の電池モジュールの電極端子間を接続バスバーで接続し、配線の端部にコネクタを設け、計測器接続端子等から延びる配線の端部をコネクタに接続させることにより、各機器間の接続を簡易に行える構成とする場合がある。しかしながら、電池パックが外部から衝撃を受けた場合には、電池パックの内部において接続バスバーとコネクタが移動して、接続バスバーとコネクタが接触し、短絡が生じる虞がある。
【０００６】
本発明は上記の問題点に鑑みてなされたもので、本発明の目的は、外部からの衝撃により、電池モジュールの電極端子間を接続する端子接続部材と、電池セルの計測器と電池制御機器の計測器接続端子とを配線により接続する配線接続部材とが、移動して接触することによる短絡を防止することができる電池パックの提供にある。
【課題を解決するための手段】
【０００７】
上記の課題を解決するために、本発明は、端子を備えた電池セルと、前記電池セルの状態を計測する計測器と、前記電池セル及び前記計測器を備えた複数の電池モジュールと、前記複数の電池モジュールと併設され、前記電池セルを制御する電池制御機器と、を備え、前記電池モジュールは、前記電池セルの前記端子と接続される電極端子と、前記電極端子が突設される端子面と、を備え、前記電池制御機器は、前記電極端子と電気的に接続される電極接続端子と、前記計測器と電気的に接続される計測器接続端子と、を備え、複数の電池モジュールの端子面は、同一方向に向けて配置されており、前記端子面に沿って設けられるとともに、前記電極端子に接続され、前記複数の電池モジュールを電気的に接続する端子接続部材と、前記計測器から延びる第１配線と、前記計測器接続端子から延びる第２配線と、前記第１配線と前記第２配線とを電気的に接続する配線接続部材と、を備える電池パックにおいて、前記配線接続部材は、前記端子面を臨む方向から見た場合に、前記端子接続部材と重ならない位置にあるとともに、前記端子面に沿う方向から見た場合に、前記端子接続部材と重ならない位置にあることを特徴とする。
【０００８】
本発明によれば、電池パックへの外部からの衝撃により、配線接続部材と端子接続部材とが移動しても、配線接続部材と端子接続部材とが接触することを防止でき、配線接続部材と端子接続部材との短絡を防止することができる。
【０００９】
また、電池パックへの外部からの衝撃により、配線接続部材と端子接続部材とが移動しても、配線接続部材と端子接続部材とが接触することを防止でき、配線接続部材と端子接続部材との短絡を防止することができる。
【００１０】
また、上記の電池パックにおいて、前記配線接続部材は、前記電池モジュールに固定されたブラケットに取り付けられる構成としてもよい。
この場合、配線接続部材を、電池モジュールの外側に容易に組み付けることができる。
【００１１】
また、上記の電池パックにおいて、前記配線接続部材は、前記ブラケットと前記端子面との間に位置する構成としてもよい。
この場合、外部からの衝撃を電池パックが受けた場合であっても、電池ケースと接触しているブラケットが荷重を受け、配線接続部材はブラケットにより外部からの衝撃から保護される。
【発明の効果】
【００１２】
本発明は、外部からの衝撃により、電池モジュールの電極端子間を接続する端子接続部材と、電池セルの計測器と電池制御機器の計測器接続端子とを配線により接続する配線接続部材とが、移動して接触することによる短絡を防止することができる電池パックを提供することができる。
【図面の簡単な説明】
【００１３】
【図１】本発明の実施形態に係る電池パックを示す斜視図である。
【図２】本発明の実施形態に係る電池パックを示す上面図である。
【図３】図２におけるＡ−Ａ線断面図である。
【図４】図２におけるＢ−Ｂ線断面図である。
【発明を実施するための形態】
【００１４】
以下、本発明の実施形態に係る電池パックについて図面を参照して説明する。本実施形態では、蓄電装置としての電池パックであって、複数の電池セルを備える複数の電池モジュールを備える電池パックについて例示する。本実施形態では、電池セルはリチウムイオン二次電池である。
【００１５】
図１に示すように、電池パック１０は、電池ケース１１と、端子を備えた複数の電池セルを収容する複数の電池モジュール１２、１３、１４、１５、１６と、電池セルを制御する電池制御機器１７と、電池モジュール１２〜１６と電池制御機器１７とを載せる基台１８とを備える。電池モジュール１２〜１６と電池制御機器１７と基台１８は、電池ケース１１に収容されている。本実施形態では、５つの電池モジュール１２〜１６を備える電池パック１０について例示する。
【００１６】
図２〜図４に示すように、電池ケース１１は、方形状であり、底板２０と、底板２０から立設された側壁２１、２２、２３、２４と、底板２０と対向する天板２５とを備える。側壁２１と側壁２３とは対向し、側壁２２と側壁２４とは対向する。電池ケース１１の外側であって、側壁２１の外側面には、電池パック１０を冷却する冷却風を電池ケース１１の内部に供給する送風機２６が固定されている。
【００１７】
図３に示すように、電池ケース１１の内部では、複数の電池モジュール１２〜１６が冷却媒体を流通させる間隙を形成するスペーサを介して基台１８に２段に積み重ねられ、底板２０に載せられている。下段の電池モジュールとしての電池モジュール１２〜１４は、側壁２１から側壁２３へ向かって順に併設されている。上段の電池モジュールとしての電池モジュール１５は、電池モジュール１２の上にスペーサを介して積み重ねられて併設されている。上段の電池モジュールとしての電池モジュール１６は、電池モジュール１４の上にスペーサを介して積み重ねられて併設されている。
【００１８】
図１に示すように、電池モジュール１２は電池ケース１１の側壁２２と対向する側面３０を備える。電池モジュール１３は側壁２２と対向する側面３１を備える。電池モジュール１４は側壁２２と対向する側面３２を備える。電池モジュール１５は側壁２２と対向する側面３３を備える。電池モジュール１６は側壁２２と対向する側面３４を備える。複数の側面３０〜３４は、同一方向に向けて配置されており、同一水平面上に位置する。
【００１９】
側面３０〜３４には、電池モジュール１２〜１６の一対の電極端子としての正極端子３５及び負極端子３６が突設されている。電極端子は、電池モジュール１２〜１６に収容された電池セルの端子と接続されている。側面３０〜３４は、電極端子が突設される端子面である。
【００２０】
電池モジュール１２は、電池ケース１１の底板２０と対向する下面３７を備える。電池モジュール１３は、電池ケース１１の底板２０と対向する下面３８を備える。電池モジュール１４は、電池ケース１１の底板２０と対向する下面３９を備える。電池モジュール１５は、電池ケース１１の天板２５と対向する上面４０を備える。電池モジュール１６は、電池ケース１１の天板２５と対向する上面４１を備える。
【００２１】
上段の電池モジュール１５と電池モジュール１６との間には、電池制御機器１７が配設されている。電池制御機器１７は、電池ケース１１の側壁２２と対向し、電池モジュール１２〜１６の端子面と同じ側を向く側面４２を備える。電池制御機器１７は、電池ＥＣＵ（図示せず）、サービスプラグ４３、システムメインリレー（図示せず）、端子台４４、監視基板２９等を備える。電池ＥＣＵは電池セルの各種情報により電池セルを制御し、サービスプラグ４３は電圧を遮断し、システムメインリレーは外部の電気回路に接続された電気的なスイッチである。
【００２２】
図３に示すように、端子台４４は、電池ケース１１の側壁２２と天板２５とに対向して配設され、電池制御機器１７のシステムメインリレー等と接続されている複数の電極接続端子４５Ａ、４５Ｂ、４５Ｃ、４５Ｄを備える。端子台４４の下方には、側壁２２と対向して監視基板２９が配設されている。監視基板２９は、複数の計測器接続端子６３Ａ、６３Ｂ、６３Ｃ、６３Ｄ、６３Ｅを備える。電極接続端子４５Ａの下方には計測器接続端子６３Ａが位置し、電極接続端子４５Ｂの下方には計測器接続端子６３Ｂが位置し、電極接続端子４５Ｃの下方には計測器接続端子６３Ｄが位置し、電極接続端子４５Ｄの下方には計測器接続端子６３Ｅが位置する。
【００２３】
電池モジュール１２の正極端子３５は、隣接する電池モジュール１５の負極端子３６と、導電部材により形成された接続バスバー４６Ａによって電気的に接続されている。電池モジュール１２の負極端子３６は、隣接する電池モジュール１３の正極端子３５と、長板部材である接続バスバー４６Ｂによって電気的に接続されている。電池モジュール１５の正極端子３５は、電極接続端子４５Ａと端子配線４７Ａによって接続されている。電池モジュール１３の負極端子３６は、電極接続端子４５Ｃと端子配線４７Ｃによって接続されている。したがって、電池モジュール１２と電池モジュール１３と電池モジュール１５と電池制御機器１７とは、電気的に直列接続されている。
【００２４】
電池モジュール１４の正極端子３５は、電極接続端子４５Ｂと端子配線４７Ｂによって接続されている。電池モジュール１４の負極端子３６は、電池モジュール１６の正極端子３５と、長板部材である接続バスバー４６Ｃによって電気的に接続されている。電池モジュール１６の負極端子３６は、電極接続端子４５Ｄと、端子配線４７Ｄによって接続されている。したがって、電池モジュール１４と電池モジュール１６と電池制御機器１７とは、電気的に直列接続されている。接続バスバー４６Ａ〜４６Ｃは、本発明の端子接続部材である。
【００２５】
各電池モジュール１２〜１６は、電池セルに接続されて電池セルの電圧を計測する電圧センサ及び電池セルの温度を計測する温度センサを内部に備える。電圧センサ及び温度センサは、電池セルの状態を計測する計測器である。第１配線４８Ａの一方の端部は、電圧センサ及び温度センサに接続される。第１配線４８Ｂの一方の端部は電圧センサ及び温度センサに接続される。第１配線４８Ｃの一方の端部は電圧センサ及び温度センサに接続される。第１配線４８Ｄの一方の端部は電圧センサ及び温度センサに接続される。電池モジュール１６は、第１配線４８Ｅの一方の端部は電圧センサ及び温度センサに接続される。電圧センサ及び温度センサは、本発明の計測器である。
【００２６】
第１配線４８Ａは、電池モジュール１２の内部から側面３０の中央部を通り、側面３０に沿って電池モジュール１２の外部に延びている。第１配線４８Ｂは、電池モジュール１３の内部から側面３１の中央部を通り、側面３１、３０に沿って電池モジュール１３の外部に延びている。第１配線４８Ｃは、電池モジュール１４の内部から側面３２の中央部を通り、側面３２に沿って電池モジュール１４の外部に延びている。第１配線４８Ｄは、電池モジュール１５の内部から側面３３の中央部を通り、側面３３に沿って電池モジュール１５の外部に延びている。第１配線４８Ｅは、電池モジュール１６の内部から側面３４の中央部を通り、側面３４に沿って電池モジュール１６の外部に延びている。
【００２７】
図１に示すように、基台１８には、樹脂製の断面Ｌ字状の長板部材であるブラケット４９の一方の端部がボルトを介して固定されている。ブラケット４９の他方の端部は、電池モジュール１５の上面４０にボルトを介して固定されている。図４に示すように、ブラケット４９は、電池モジュール１５の上面４０及び側面３３と電池モジュール１２の側面３０と、電池ケース１１の内側面との間を延びる。図２に示すように、ブラケット４９の外側面は電池ケース１１の側壁２２の内側面と接触している。
【００２８】
図１に示すように、基台１８には、樹脂製の断面Ｌ字状の長板部材であるブラケット５４の一方の端部がボルトを介して固定されている。ブラケット５４の他方の端部は電池モジュール１６の上面４１にボルトを介して固定されている。ブラケット５４は、電池モジュール１６の上面４１及び側面３４と電池モジュール１４の側面３２と、電池ケース１１の内側面との間を延びる。図２に示すように、ブラケット５４の外側面は電池ケース１１の側壁２２の内側面と接触している。
【００２９】
図３に示すように、ブラケット４９には、コネクタ６０Ａ、６０Ｂ、６０Ｃがそれぞれボルトを介して固定されている。ブラケット５４には、コネクタ６０Ｄ、６０Ｅがそれぞれボルトを介して固定されている。コネクタ６０Ａ〜６０Ｅは、矩形状の板状部材であって、複数の配線を電気的に接続する。コネクタ６０Ａ〜６０Ｅは、本発明の配線接続部材である。
【００３０】
図４に示すように、コネクタ６０Ａ〜６０Ｃは、ブラケット４９と、電池モジュール１２の側面３０及び電池モジュール１５の側面３３との間に位置し、ブラケット４９には接触しているが、側面３０、３３には接触していない。同様に、コネクタ６０Ｃ、６０Ｄは、ブラケット５４と、電池モジュール１４の側面３２及び電池モジュール１６の側面３４の間に位置し、ブラケット５４に接触しているが、側面３２、３４には接触していない。
【００３１】
図３に示すように、コネクタ６０Ａ〜６０Ｅは、側面３０〜３４、４２を臨む方向から見た場合に、接続バスバー４６Ａ〜４６Ｃとは重ならない位置にある。図２及び図４に示すように、接続バスバー４６Ａは、側面３０、３３寄りに位置し、コネクタ６０Ａ〜６０Ｃは、接続バスバー４６Ａよりも側面３０、３３から離れた位置に配置されている。接続バスバー４６Ｂは、側面３０、３１寄りに位置し、コネクタ６０Ａ〜６０Ｃは、接続バスバー４６Ｂよりも側面３０、３１から離れた位置に配置されている。同様に、接続バスバー４６Ｃは、側面３２、３４寄りに位置し、コネクタ６０Ｄ、６０Ｅは、接続バスバー４６Ｃよりも側面３２、３４から離れた位置に配置されている。このため、コネクタ６０Ａ〜６０Ｅは、側面３０〜３４、４２と沿う方向から見た場合に、接続バスバー４６Ａ〜４６Ｃとは重ならない位置にある。
【００３２】
図３に示すように、第１配線４８Ａの一方の端部は電池モジュール１２の電圧センサ及び温度センサに接続され、第１配線４８Ａの他方の端部はコネクタ６０Ｂに接続される。第１配線４８Ｂの一方の端部は電池モジュール１３の電圧センサ及び温度センサに接続され、第１配線４８Ｂの他方の端部はコネクタ６０Ａに接続される。第１配線４８Ｃの一方の端部は電池モジュール１４の電圧センサ及び温度センサに接続され、第１配線４８Ｃの他方の端部はコネクタ６０Ｄに接続される。第１配線４８Ｄの一方の端部は電池モジュール１５の電圧センサ及び温度センサに接続され、第１配線４８Ｄの他方の端部はコネクタ６０Ｃに接続される。第１配線４８Ｅの一方の端部は電池モジュール１６の電圧センサ及び温度センサに接続され、第１配線４８Ｅの他方の端部はコネクタ６０Ｅに接続される。第１配線４８Ａ〜４８Ｅは、側面３０〜３４、４２を臨む方向から見た場合に、接続バスバー４６Ａ〜４６Ｃとは重ならない位置にある。
【００３３】
図３に示すように、計測器接続端子６３Ａには、第２配線６４Ｄの一方の端部が接続されている。計測器接続端子６３Ｂには第２配線６４Ａの一方の端部が接続されている。計測器接続端子６３Ｃには第２配線６４Ｂの一方の端部が接続されている。計測器接続端子６３Ｄには第２配線６４Ｃの一方の端部が接続されている。計測器接続端子６３Ｅには第２配線６４Ｅの一方の端部が接続されている。
【００３４】
第２配線６４Ａの他方の端部は、コネクタ６０Ｂに接続されている。第２配線６４Ｂの他方の端部は、コネクタ６０Ａに接続されている。第２配線６４Ｃの他方の端部は、コネクタ６０Ｄに接続されている。第２配線６４Ｄの他方の端部は、コネクタ６０Ｃに接続されている。第２配線６４Ｅの他方の端部は、コネクタ６０Ｅに接続されている。第２配線６４Ａ〜６４Ｅは、側面３０〜３４、４２を臨む方向から見た場合に、接続バスバー４６Ａ〜４６Ｃと重ならない位置にある。
【００３５】
電池制御機器１７と電池モジュール１２〜１６の電圧センサ及び温度センサとは、第１配線４８Ａ〜４８Ｅと、第２配線６４Ａ〜６４Ｅと、コネクタ６０Ａ〜６０Ｅとを介して電気的に接続されている。よって、電圧センサ及び温度センサからの電圧及び温度に関する情報が、第１配線４８Ａ〜４８Ｅと、第２配線６４Ａ〜６４Ｅと、コネクタ６０Ａ〜６０Ｅとを介して、電池制御機器１７に送られる。
【００３６】
本実施形態では、以下の作用及び効果を奏する。
（１）コネクタ６０Ａ〜６０Ｅは、側面３０〜３４、４２を臨む方向から見た場合に、接続バスバー４６Ａ〜４６Ｃと重ならない位置にある。したがって、電池パック１０への外部からの衝撃により、例えば、電池パック１０に電池ケース１１の側壁２２から側壁２４へ向かう荷重、又は、側壁２４から側壁２２へ向かう荷重を受けた場合、コネクタ６０Ａ〜６０Ｅと接続バスバー４６Ａ〜４６Ｃとが移動しても、コネクタ６０Ａ〜６０Ｅと接続バスバー４６Ａ〜４６Ｃとが接触することを防止できる。よって、コネクタ６０Ａ〜６０Ｅと接続バスバー４６Ａ〜４６Ｃとの短絡を防止することができる。
【００３７】
（２）コネクタ６０Ａ〜６０Ｅは、側面３０〜３４、４２に沿う方向から見た場合に、接続バスバー４６Ａ〜４６Ｃと重ならない位置にある。したがって、電池パック１０への外部からの衝撃により、例えば、電池パック１０に電池ケース１１の側壁２１から側壁２３へ向かう荷重、又は、側壁２３から側壁２１へ向かう荷重を受けた場合、コネクタ６０Ａ〜６０Ｅと接続バスバー４６Ａ〜４６Ｃとが移動しても、コネクタ６０Ａ〜６０Ｅと接続バスバー４６Ａ〜４６Ｃとが接触することを防止できる。よって、コネクタ６０Ａ〜６０Ｅと接続バスバー４６Ａ〜４６Ｃとの短絡を防止することができる。
【００３８】
（３）コネクタ６０Ａ〜６０Ｃは、基台１８及び電池モジュール１５に固定されたブラケット４９に取り付けられ、コネクタ６０Ｄ、６０Ｅは、基台１８及び電池モジュール１６に固定されたブラケット５４に取り付けられている。したがって、コネクタ６０Ａ〜６０Ｅを、電池モジュール１２〜１６の外側に容易に組み付けることができる。
【００３９】
（４）コネクタ６０Ａ〜６０Ｃは、ブラケット４９と端子面としての側面３０、３３との間に位置し、コネクタ６０Ｄ、６０Ｅは、ブラケット５４と端子面としての側面３２、３４との間に位置する。したがって、外部からの衝撃を電池パック１０の側壁２２に受けた場合であっても、側壁２２と接触しているブラケット４９、５４が荷重を受ける。よって、コネクタ６０Ａ〜６０Ｅはブラケット４９、５４により外部からの衝撃から保護される。
【００４０】
（５）ブラケット４９、５４は、断面Ｌ字状の長板部材であり、電池モジュール１５、１６に固定され、ブラケット４９、５４の外側面は、側壁２２の内側面に接触している。したがって、電池モジュール１２〜１６は、ブラケット４９、５４により電池ケース１１に対して位置決めされる。また、電池ケース１１の内部において、電池モジュール１２〜１６の側面３０〜３４と電池制御機器１７の側面４２と、電池ケース１１の側壁２２との間に間隙が設けられ、側面３０〜３４、４２と、側壁２２との接触が防止されている。よって、電池モジュール１２〜１６の側面３０〜３４から正極端子３５及び負極端子３６を突設させることができ、電池制御機器１７の側面４２に端子台４４の電極接続端子４５Ａ〜４５Ｄと監視基板２９の計測器接続端子６３Ａ〜６３Ｅとを設けることができる。また、電池モジュール１２〜１６の側面３０〜３４と電池ケース１１の側壁２２との間に、接続バスバー４６Ａ〜４６Ｃと、コネクタ６０Ａ〜６０Ｅと、端子配線４７Ａ〜４７Ｄと、第１配線４８Ａ〜４８Ｅと、第２配線６４Ａ〜６４Ｅとを配設することができる。
【００４１】
本発明は、上記の実施形態に限定されるものではなく発明の趣旨の範囲内で種々の変更が可能であり、例えば、次のように変更してもよい。
【００４２】
○  上記の実施形態では、５つの電池モジュール１２〜１６を２段に積み重ねて電池ケース１１に収容した電池パック１０を例としたが、この限りでない。複数の電池モジュールを電池ケースに収容する電池パックであれば良く、例えば、複数の電池モジュールを３段または４段に重ねても良く、電池モジュールの数は特に限定されない。また、電池モジュールは複数の電池セルを備えた電池モジュールだけでなく、単一の電池セルによる電池モジュールであってもよい。
【００４３】
○  上記の実施形態では、接続バスバーにより電池モジュールの電極端子間を電気的に接続したがこの限りでない。電極端子間を電気的に接続することができれば良く、配線であっても良い。
【００４４】
○  上記の実施形態では、接続バスバーを導電部材により形成されたとしたが、この限りでない。接続バスバーは、電極端子間を電気的に接続することができれば良く、導電部材が絶縁性の樹脂製カバーにより覆われて形成されていても良い。
【００４５】
○  上記の実施形態では、ブラケットを樹脂製としたが、この限りでない。ブラケットによりコネクタを固定することができれば良く、鉄やアルミ等の金属製であっても良い。
【００４６】
○  上記の実施形態では、ブラケットを断面Ｌ字状の長板部材としたが、この限りでない。電池ケースの内部において、電池モジュールの外側にコネクタを固定することができれば良く、ブラケットの形状は特に限定されない。
【００４７】
○  上記の実施形態では、電池パックに２つのブラケットを配置したが、この限りでない。ブラケットによりコネクタを固定でき、端子面を臨む方向から見た場合に、コネクタが接続バスバーと重ならない位置にあれば良く、例えば、１つの電池パックに複数のコネクタを固定する１つのブラケットを配置しても良く、ブラケットの数は特に限定されない。
【符号の説明】
【００４８】
１０  電池パック
１２、１３、１４、１５、１６  電池モジュール
１７  電池制御機器
３５  正極端子（電極端子としての）
３６  負極端子（電極端子としての）
３０、３１、３２、３３、３４  側面（端子面としての）
４２  側面
４５Ａ、４５Ｂ、４５Ｃ、４５Ｄ  電極接続端子
４６Ａ、４６Ｂ、４６Ｃ  接続バスバー（端子接続部材としての）
４８Ａ、４８Ｂ、４８Ｃ、４８Ｄ、４８Ｅ  第１配線
４９、５４  ブラケット
６０Ａ、６０Ｂ、６０Ｃ、６０Ｄ、６０Ｅ  コネクタ（配線接続部材としての）
６３Ａ、６３Ｂ、６３Ｃ、６３Ｄ、６３Ｅ  計測器接続端子
６４Ａ、６４Ｂ、６４Ｃ、６４Ｄ、６４Ｅ  第２配線
【図１】
0006607052.tif 000002
【図２】
0006607052.tif 000003
【図３】
0006607052.tif 000004
【図４】
0006607052.tif 000005